(57)【要約】【課題】  普段は通常の椅子として使用することができ、災害等の緊急時には迅速に簡易トイレとして使用することができる椅子を提供する。【解決手段】    前脚部７および後脚部１１を形成した座部用フレーム５の上部に、開口部２５を形成した座部本体１３を固定する。座部本体１３の上部には、ヒンジ部１５を介して先端部が上方に揺動可能となるように便座１７を取り付ける。便座１７の上部に蓋体１９を被せるとともに、この蓋体１９を、座部本体１３の上部に、ヒンジ部１５を介して先端部が上方に揺動可能となるように取り付ける。蓋体１９および便座１７を覆い隠すように、蓋体１９および便座１７に袋状のクッション体２１を被せる。【選択図】  図１
2006020660.tif 000002
【特許請求の範囲】
【請求項１】
座部と、この座部を支える脚部と、を備え、
前記座部は、開口部およびこの開口部に沿って設けられた便座を有する座部本体と、前記座部本体に揺動可能に取付けられて前記便座に被せられた蓋体と、を有していて、
前記蓋体の上に腰掛けることができ、かつ、前記蓋体を上方に揺動させた状態で、前記便座に腰掛けることができるように構成されている、ことを特徴とするトイレ機能付き椅子。
【請求項２】
前記座部は、前記蓋体に着脱可能に被せることができる、例えば袋状のクッション体を備えて構成されている、ことを特徴とする請求項１記載のトイレ機能付き椅子。
【請求項３】
前記座部本体の下側には、下水用マンホールの蓋の受け枠に設置することができるマンホール設置用の台座が着脱可能に設けられていて、
前記マンホール設置用の台座は、前記座部本体の開口部と連なる、上下部が開口された筒状体を備えていて、
筒状体の下部には、前記マンホールの蓋の受け枠に取付けるための基体が備えられ、かつ、上部には前記座部を支持するための座部用支持体が備えられていて、
前記座部本体が前記座部用支持体に支持された状態で、前記脚部の下端が前記マンホールの蓋の受け枠の上面又は上方に位置するように形成されている、ことを特徴とする請求項１又は２記載のトイレ機能付き椅子。
【請求項４】
前記マンホール設置用の台座は、人の出入りが可能な覆い体を着脱可能に備えている、ことを特徴とする請求項３記載のトイレ機能付き椅子。
【請求項５】
前記覆い体は、前記マンホール設置用の台座に着脱可能に設けられた骨材と、この骨材に着脱可能に取付けられた、開閉可能な出入り口部が形成されたカバーシートと、一端が前記マンホール設置用の台座に左右方向に回転可能に取付けられ、他端が前記カバーシートの出入り口部に固定された、開閉用の揺動アーム材と、を有して構成されていて、
前記開閉用の揺動アーム材を左右方向に揺動させることによって、前記カバーシートの出入り口部を開閉することができるように構成されている、ことを特徴とする請求項４記載のトイレ機能付き椅子。
【発明の詳細な説明】
【技術分野】
【０００１】
本発明は、災害時等に、簡易トイレとして用いることができるトイレ機能付き椅子に関する。
【背景技術】
【０００２】
従来、災害時等に、簡易トイレとして用いることができるものとして、折りたたみ可能なパイプ椅子状のものが考えられている。この簡易トイレは、座部に排泄用の開口部が形成されていて、椅子状に展開し、座部に腰掛けて使用するといったように構成されている（例えば、特許文献１参照）。
【０００３】
【特許文献１】特開２００３−１２５９７４号公報
【発明の開示】
【発明が解決しようとする課題】
【０００４】
ところで、特許文献１に記載されたようなものは、プレート状の座部それ自体に排泄用の開口部を形成しているので、専ら、非常時の簡易トイレとしての機能しか有していない。したがって、通常は、折りたたんで収容しておくだけのものとなってしまう。      
【０００５】
そこで、本発明は、普段は通常の椅子として使用でき、しかも、災害等の緊急時には、簡易トイレとして使用することができるトイレ機能付き椅子を提供することを目的とする。
【課題を解決するための手段】
【０００６】
この目的を達成するための本発明のトイレ機能付き椅子は、座部と、この座部を支える脚部と、を備え、座部は、開口部およびこの開口部に沿って設けられた便座を有する座部本体と、座部本体に揺動可能に取付けられて便座に被せられた蓋体と、を有していて、蓋体の上に腰掛けることができ、かつ、蓋体を上方に揺動させた状態で、便座に腰掛けることができるように構成されているものである。蓋体の上に快適に腰掛けることができるように、座部には、例えば、蓋体に着脱可能に被せることができる袋状のクッション体が設けられる。クッション体は、蓋体および便座に被せるのが好ましいが、蓋体のみに被せて用いることも可能である。また、クッション体が汚れたり、破損した場合等に備えて、このクッション体と同じクッション体を用意して、クッション体を取替えて使用するようにしてもよい。このトイレ機能付き椅子は、蓋体の上に腰掛けることができるので、通常は椅子として、例えば、リビング等で用いることができる。また、蓋体を上方に揺動させることにより、便座に腰掛けることができるので、災害等により、家庭のトイレが使用不能になった場合には、簡易トイレとして用いることができる。なお、簡易トイレとして用いる場合は、例えば、座部本体の下側に排泄物を溜めるためのビニール袋を内側に入れた容器（例えば、プラスチック製のゴミ容器等）を設置することにより、後処理を簡単に行うことができる。
【０００７】
災害等により、家庭のトイレを使用することができず、かつ、避難場所の仮設トイレも不足している場合には、下水用マンホールを利用して簡易トイレを設置することができるようにする。具体的には、下水用マンホールの蓋を開けた状態で、マンホールの蓋の受け枠に設置することができるマンホール設置用の台座を用いたトイレ機能付き椅子を用いる。このトイレ機能付き椅子は、座部本体の下側に、下水用マンホールの蓋の受け枠に設置することができるマンホール設置用の台座が着脱可能に設けられていて、マンホール設置用の台座は、座部本体の開口部と連なる、上下部が開口された筒状体を備えていて、筒状体の下部には、マンホールの蓋の受け枠に取付けるための基体が備えられ、かつ、上部には座部を支持するための座部用支持体が備えられていて、座部本体が座部用支持体に支持された状態で、脚部の下端がマンホールの蓋の受け枠の上方に位置するように形成されているものである。なお、座部のマンホール設置用の台座本体への取付けを安定させるために、例えば、座部本体と座部用支持体とを、ボルトおよびナット等を用いて固定するように構成することも可能である。
【０００８】
また、トイレ機能付き椅子をマンホールの蓋の受け枠に設置した場合、このトイレ機能付き椅子の使用者が外から見えないようにするために、マンホール設置用の台座には、例えば、人の出入りが可能な覆い体が着脱可能に設けられる。この覆い体は、具体的には、マンホール設置用の台座に着脱可能に設けられた骨材と、この骨材に着脱可能に取付けられた、開閉可能な出入り口部が形成されたカバーシートと、一端が前記マンホール設置用の台座に左右方向に回転可能に取付けられ、他端が前記カバーシートの出入り口部に固定された、開閉用の揺動アーム材と、を有して構成されていて、開閉用の揺動アーム材を左右方向に回転させることによって、カバーシートの出入り口部を開閉することができるように構成されているものである。覆い体は、少なくとも座部の周りを覆うように構成するが、座部の上方も覆うように構成することも可能である。
【発明の効果】
【０００９】
以上述べたように、本発明のトイレ機能付き椅子は、蓋体の上に腰掛けることができ、かつ、蓋体を上方に揺動させた状態で便座に腰掛けることができるので、通常は、椅子として使用することができ、災害等の場合には、簡易トイレとして使用することができる。
【発明を実施するための最良の形態】
【００１０】
以下、本発明を実施するための形態を図面を参照して説明する。
【００１１】
図１は本発明に係るトイレ機能付き椅子を示す斜視図、図２は図１の２−２線に沿う拡大断面図である。
【００１２】
トイレ機能付き椅子１は、鉄製やステンレス合金製等のパイプ材で形成された、前後方向に延びていて、かつ、後端部で上方に９０度又はほぼ９０度の角度を有して延びている立ち上がり部３が形成された左右の座部用フレーム５、５と、この左右の座部用フレーム５、５の先端部で垂直下側方向又はほぼ垂直方向に延びている前脚部７と、左右の座部用フレーム５、５の立ち上がり部３、３にそれぞれ溶接等によって固定された、パイプ材を曲げ加工して略逆Ｕ字状に形成された背もたれ部９と、この背もたれ部９の左右の下端部から、垂直下側方向又はほぼ垂直下側方向に延びている後脚部１１と、左右の座部用フレーム５、５の上部に配置されて複数本の皿ビス、接着剤等の固定手段によって固定された、上部に便座１７を有する座部本体１３と、座部本体１３の便座１７に被せられ、この座部本体１３の後側の部位に、ヒンジ部１５を介して先端部が上方に揺動可能に取付けられた蓋体１９と、この蓋体１９および便座１７を覆い隠すように、蓋体１９に着脱可能に被せられた袋状のクッション体２１とで構成されている。なお、左右の座部用フレーム５、５、便座１７を有する座部本体１３および蓋体１９で座部２３を構成している。
【００１３】
座部本体１３は、木製・プラスチック製等の板材からなり、左右側部が左右の座部用フレーム５、５に沿う形状で形成された、ほぼ中央部で、前側が開口されたほぼ卵型形状の開口部２５（図４参照）を有するベース板１４と、このベース板１４の上部にヒンジ部１５を介して先端部が上方に揺動可能に取付けられた便座１７と、を有して構成されている。
【００１４】
便座１７は、硬質熱可塑性樹脂やカーボンファイバ入り合成樹脂等の強度性を有する樹脂材で形成されていて、輪郭形状は、例えば、卵形状で形成されている。中央部又はほぼ中央部には、例えば、楕円状又はほぼ楕円状となる開口部２７が形成されていて、この開口部２７は、ベース板１４の開口部２５の上側に配されている。また、便座１７の先端部は、ベース板１４の先端部よりも前側に突出するように設けられている。なお、便座１７は、前側が開口されたもの（Ｕ字型）で構成することも可能である。
【００１５】
図３は、ヒンジ部１５の構造を示した断面図である。
【００１６】
ヒンジ部１５は、便座１７の後端両側部寄りの部位に突出して一体形成された、枢支ピン挿入孔２９を有する一対の取付片３１、３１と、この一対の取付片３１、３１に隣接して座部本体１３のベース板１４に固定された、取付片３１の枢支ピン挿入孔２９と連なる別の枢支ピン挿入孔３３が形成された一対の支持片３５、３５と、この一対の支持片３５、３５の枢支ピン挿入孔３３、３３および一対の取付片３１、３１の枢支ピン挿入孔２９、２９にそれぞれ挿入された枢支ピン３７と、を有して構成されている。なお、便座１７の一対の取付片３１、３１の間には、後述する蓋体１９の取付片３９が配されていて、この取付片３９は、枢支ピン３７に回転可能に取付けられている。
【００１７】
一対の支持片３５、３５の下部には、この一対の支持片３５、３５を座部本体１３のベース板１４に固定するためのボルト材４１、４１が固定されている。なお、座部本体１３のベース板１４には、ボルト材４１、４１が挿入される固定用孔４３、４３が予め形成されていて、この固定用孔４３、４３にボルト材４１、４１を通して、ナット４５、４５で締め付けることによって固定する。
【００１８】
蓋体１９は、例えば、便座１７と同じ材質で形成されていて、便座１７の輪郭形状に沿う形状で形成されているとともに、後端部には、取付片３９が一体形成されている。また、蓋体１９は、上面部が平坦状又はほぼ平坦状に形成されていて、内面外周部の複数個所（例えば、６個所）には、便座１７の上面と接する支持片４６が固定されている（図４参照）。このように構成された蓋体１９は、取付片３９をヒンジ部１５の枢支ピン３７に回転可能に取付けているので、先端部を上下方向に揺動させることができる。なお、蓋体１９および便座１７を樹脂製で形成したが、人が座っても破損しない強度を有する材料であれば、例えば、木材等で形成することも可能である。
【００１９】
クッション体２１は、内部にスポンジ等の発泡樹脂材４７が収容されていて、外側が布製や網製等のカバー体４９で覆われた、四角形状又はほぼ四角形状で平坦状に形成されたクッション本体５１と、このクッション本体５１の下部を覆って、前記クッション本体５１の前部および左右両側部に縫製等によって固定された布製や網製等の下部シート材５３と、で構成されていて、この下部シート材５３とクッション本体５１とで袋状に形成されている。クッション本体５１の後端部には、後側に広げられて、蓋体１９や便座１７の後端部およびヒンジ部１５を覆い隠すことができる、布等で形成された被覆シート材５５が縫製等によって固定されている。被覆シート材５５の後端両側部には、二本で一組となる取付け用紐５７が縫製等によってそれぞれ固定されていて、この取付け用紐５７は、座部用フレーム５の立ち上がり部３およびこの立ち上がり部３と連なっている背もたれ部９の下側の外周に、巻くように配した状態で結ぶことができるように構成されている。なお、クッション体２１は、後部に挿入口５９が設けられていて、この挿入口５９より蓋体１９（あるいは蓋体１９および便座１７）に被せることができる。クッション体２１を蓋体１９（あるいは蓋体１９および便座１７）に被せた後は、被覆シート５５を広げて蓋体１９や便座１７の後端部およびヒンジ部１５を覆い隠すとともに、取付け用紐５７を、座部用フレーム５の立ち上がり部３およびこの立ち上がり部３と連なっている背もたれ部９の下側の外周に巻くように配して結ぶ。なお、クッション体２１は、クッション本体５１と下部シート材５３とで袋状に形成したが、例えば、２個のクッション本体５１、５１を重ねて前部および左右両側部を縫製等によって固定して袋状にしたり、長尺寸法で形成されたクッション本体５１を中央部より前後方向に二つ折りして、左右両側部を縫製等によって固定することにより袋状にすることも可能である。
【００２０】
図４は本発明に係るトイレ機能付き椅子１を簡易トイレとして使用する状態を示した図である。
【００２１】
以上のように構成されたトイレ機能付き椅子１は、通常は椅子として用いることができるとともに、災害時等においてはクッション体２１を外して、蓋体１９を上方に揺動することによって簡易トイレとして用いることができる。なお、簡易トイレとして用いる場合は、座部本体１３のベース板１４下側に、例えば、排泄物を溜めるためのビニール袋を内側に入れた容器（例えば、プラスチック製のゴミ容器等）６０を設置しておく。なお、トイレ機能付き椅子１は、介護用の椅子としても用いることができる。この場合、身体の不自由な被介護者等は、トイレまで移動しなくても自室で排泄することが可能となる。
【００２２】
図５は、別のトイレ機能付き椅子６１のマンホール設置用の台座６３を示した斜視図、図６は、別のトイレ機能付き椅子６１の要部拡大断面図である。
【００２３】
別のトイレ機能付き椅子６１は、座部本体１３のベース板１４の下側にマンホール設置用の台座６３を設けることができるように構成したものであり、トイレ機能付き椅子１の前脚部７、後脚部１１、背もたれ部９、ヒンジ部１５、便座１７および蓋体１９を同一構成又はほぼ同一構成で有して、トイレ機能付き椅子１と同一又はほぼ同一の構成を有している。座部本体１３のベース板１４の下面の前後左右側の部位には、マンホール設置用の台座６３の上面部に設置することができる取付け用脚部材６５、６５、６７、６７が固定されている。前側の取付け用脚部材６５は、例えば、樹脂パイプ材で形成されていて垂直下側方向又はほぼ垂直下側方向に延びるように形成された脚本体６９と、この脚本体６９の上端部に設けられた、座部本体１３のベース板１４の下側に固定ビスや接着剤等の固定手段によって固定された固定片７１とで構成されている。後側の取付け用脚部材６７、６７は、ヒンジ部１５のボルト材４１、４１で構成されている。取付け用脚部材６５、６５、６７、６７の下端部には、ゴム材で形成されたキャップ部材７３が被せられている。
【００２４】
図７は、別のトイレ機能付き椅子６１をマンホールの蓋の受け枠に設置した状態を横から見た場合の断面図、図８は、別のトイレ機能付き椅子６１をマンホールの蓋の受け枠に設置した状態を上から見た場合の断面図である。
【００２５】
マンホール設置用の台座６３は、マンホールの蓋の受け枠７５内に嵌まる大きさで形成されていて、中央部又はほぼ中央部に円状や楕円状等の第１の孔部７７が形成された、木材や金属材等からなる円盤状の基体７９と、この基体７９の上側に設けられた、例えば、金属板を曲げ加工して両端部を溶接等することによって、上下部が開口した筒状に形成された、内部に排泄路８１を有する筒体８３と、この筒体８３の上側を覆うように設けられた、金属板等で、例えば、四角形状に形成されていて、前記排泄路８１と連なる第２の孔部８５が形成された座部用支持体８７と、を有して構成されている。また、マンホール設置用の台座６３は、取付け用脚部材６５、６５、６７、６７を、座部用支持体８７の上部に載せて支持させた場合に、前後脚部７、１１の下端部が少なくとも地上に位置するように（具体的には、前後脚部７、１１の下端部が基体７９の下端部から約５ｃｍ上方に位置するように）形成されている。
【００２６】
座部用支持体８７の上部には、座部本体１３のベース板１４の下面に設けられた取付け用脚部材６５、６５、６７、６７が載せられるが、この座部用支持体８７の上部の、前記取付け用脚部材６５、６５、６７、６７が載せられる部位には、前記取付け用脚部材６５、６５、６７、６７をずれないように支持するための取付け用凹部８９、８９、８９、８９が形成されている。
【００２７】
座部用支持体８７の下面および基体７９の上面には、四角形状の枠体９１、９１がビスや溶接等によって固定されていて、この枠体９１、９１の角部に、Ｌ字鋼からなる脚材９３、９３、９３、９３が、ビスや溶接等によって固定されている。
【００２８】
また、マンホール設置用の台座６３には、人の出入りが可能な覆い体９７が着脱可能に取付けられる。覆い体９７は、脚材９３、９３、９３、９３の下側に固定具９９、９９、９９、９９を介して取付けられる骨材１０１、１０１、１０１、１０１と、この骨材１０１、１０１、１０１、１０１に着脱可能に取付けられる、出入り口部１０３が形成されたカバーシート１０５と、を有して構成されている。
【００２９】
固定具９９は、金属板をプレス成型等することによって形成された、骨材１０１を着脱可能に固定するための固定具本体１０７と、固定具本体１０７を脚材９３に固定するための蝶ボルト１０９、１０９と、で構成されている。固定具本体１０７の、骨材１０１と接する部分には、骨材１０１の外周面形状に沿うように形成された取付け用凹部１１１が形成されている。
【００３０】
骨材１０１は、アルミやアルミ合金等の金属で断面円弧形状の棒材を曲げ加工することによって形成されていて、先端部が逆Ｌ字状に形成された、固定具９９によって固定される固定部１１３と、この固定部１１３の後端に一体形成された、水平方向又はほぼ水平方向に、例えば、３０ｃｍ突出するように形成された支持部１１５と、この支持部１１５の先端部にリング部１１７を介して、上方に９０度又はほぼ９０度曲げられて形成された、高さ寸法を有する直線状の立設部１１９と、この立設部１１９の先端部に傾斜部１２１を介して一体形成されたリング部１２３とで構成されている。
【００３１】
骨材１０１の固定具９９への取付けは、以下のようにして行う。まず、固定具９９の蝶ボルト１０９、１０９を緩めて固定具本体１０７の締め付け固定状態を解除する。次に、緩められた固定具本体１０７の取付け用凹部１１１内に骨材１０１の固定部１１３を位置させる。この状態で蝶ボルト１０９、１０９を脚材９３に締め付けることによって固定する。
【００３２】
カバーシート１０５は、テント等に用いられる布材等で形成されていて、内周面に骨材１０１のリング部１１７、１２３に縛り付けて固定することができる複数の固定紐１２５が縫い付け等によって固定された筒状の覆い部１２７と、この覆い部１２７の前部に形成された出入り口部１０３と、覆い部１２７の上部を覆うように形成された屋根部１２９とで構成されている。出入り口部１０３は、覆い部１２７に上下方向および水平方向に延びるスリットを形成することにより設けられていて、出入り口部１０３の開閉を確実に行うために、覆い部１２７の外面および内面には、複数の面ファスナー１２８が取付けられている。なお、出入り口部１０３の開け閉めは、面ファスナー１２８に限らず、ボタンやスナップホック等を用いてもよい。また、カバーシート１０５の上部には屋根部１２９が形成されているが、覆い部１２７の上部を開口させて構成してもよい。
【００３３】
トイレ機能付き椅子６１は、避難場所の仮設便所等が足りない場合に、下水用マンホールの蓋の受け枠７５に設置して簡易トイレとして用いることができる。具体的には、まず、下水用マンホールの蓋を開けて蓋の受け枠７５にマンホール設置用の台座６３を被せて設置する。次に、座部用支持体８７の取付け用凹部８９、８９、８９、８９に支持脚６５、６５、６７、６７の先端部を嵌めて取付ける。この状態で、骨材１０１、１０１、１０１、１０１を固定具９９で脚材９３に固定してから、骨材１０１、１０１、１０１、１０１の上部からカバーシート１０５を被せて、固定紐１２５を骨材１０１のリング部１１７、１２３に縛り付けて固定する。
【００３４】
図９はマンホール設置用の台座６３の別の使用例を示す図である。
【００３５】
マンホール設置用の台座６３には、座部用支持体８７の後端部に、木材等で形成された板状の便座１３１および蓋体１３３を備えたオプション体１３５を着脱可能に固定することも可能である。オプション体１３５は、便座１３１の後端両側部寄りの部位に、便座１３１の先端部を上下方向に揺動させるための第１のヒンジ部材１３７、１３７が固定されていて、この第１のヒンジ部材１３７、１３７を座部用支持体８７にビス材等によって着脱可能に固定できるように構成されている。また、便座１３１の第１のヒンジ部材１３７、１３７を固定した部分には、蓋体１３３の先端部を上下方向に揺動させるための第２のヒンジ部材１３９、１３９が固定されていて、この第２のヒンジ部材１３９、１３９に蓋体１３３の後端部が固定されている。なお、便座１３１には、マンホール設置用の台座６３の第２の孔部８５と連なる開口部１４１が形成されている。
【００３６】
図１０は別のトイレ機能付き椅子をマンホールの蓋の受け枠７５に設置した状態を上から見た場合の断面図、図１１は固定具で開閉用の揺動アーム材を脚材９３に取付けた場合の説明図である。
【００３７】
別のトイレ機能付き椅子１４２は、開閉用の揺動アーム材１４３を用いて、人の出入りを行うように構成したものであり、トイレ機能付き椅子６１の座部本体１３、前脚部７、後脚部１１、背もたれ部９、ヒンジ部１５、蓋体１９およびマンホール設置用の台座６３を同一又はほぼ同一の構成で有して、トイレ機能付き椅子６１と同一又はほぼ同一の構成を有している。なお、開閉用の揺動アーム材１４３で開閉を行うために、覆い体９７のカバーシート１０５に変えて、覆い部１２７の下側から屋根部１２９の頂上部に向かってスリットが形成されて出入り口部１４４が設けられたカバーシート１０６を用いる。開閉用の揺動アーム材１４３は、出入り口部１４４側に配された骨材１０１の前側に隣接されていて、左右方向に回転できるように固定具１４５によって骨材１０１とともに脚材９３に固定されている。また、開閉用の揺動アーム材１４３は、骨材１０１と同じ又はほぼ同じ形状に形成されていて、骨材１０１と同じように固定部１１３、支持部１１５、立設部１１９、傾斜部１２１およびリング部１１７、１２３で構成されている。開閉用の揺動アーム材１４３およびこれに隣接する骨材１０１の各立設部１１９、１１９の外周部には、断面ほぼΣ字状あるいはＣ字状となる一対の枠部材１４６、１４６が取付けられている。枠部材１４６は、立設部１１９の軸回り方向に回転可能で、かつ、抜けないように取付けられている。
【００３８】
一対の枠部材１４６、１４６には、錠１４７が取付けられていて、この錠１４７は、後端部が一方の枠部材１４６、１４６に枢支されていて、先端部が上下方向に揺動可能に設けられたバー部材１４９と、他方の枠部材１４６に固定された、バー部材１４９の受け具１５１とで構成されている（図１２は、錠１４７の取付け状態を示した斜視図である。）
【００３９】
図１３は別のマンホール設置用の台座を示した斜視図、図１４は別のトイレ機能付き椅子の要部拡大断面図である。
【００４０】
別のトイレ機能付き椅子１５５は、座部本体１３を固定手段１５７を介してマンホール設置用の台座１５３に固定することができるように構成したものであり、トイレ機能付き椅子６１、１４２の前脚部７、後脚部１１、背もたれ部９、ヒンジ部１５およびマンホール設置用の台座６３を同一又はほぼ同一の構成で有して、トイレ機能付き椅子６１、１４２と同一又はほぼ同一の構成を有している。固定手段１５７は、トイレ機能付き椅子６１の前側の取付け用脚部材６５、６５に変えて、座部本体１３の下面の前側の左右部位に、複数のビス１５９によって固定された座付きナット１６１、１６１と、座部用支持体８７の前側の左右部位に取り付けられた、前記座付きナット１６１、１６１にねじ付けて固定するための固定用ボルト１６３、１６３と、を有して構成されている。座部用支持体８７の前側の左右部位には、ボルト挿入孔１６５、１６５が形成されていて、座部用支持体８７の下面のボルト挿入孔１６５、１６５形成部位には、前記固定用ボルト１６３、１６３を座部用支持体８７に取付けるための座付きナット１６７、１６７が複数のビス１６９によって固定されている。
【００４１】
座部本体１３をマンホール設置用の台座１５３に固定する場合は、固定用ボルト１６３、１６３をねじ回していくことにより、ねじ部先端をボルト挿入孔１６５より突出させるとともに、このねじ部先端を、座部本体１３に固定された座付きナット１６１のねじ部にねじ付けることによって固定する。
【００４２】
なお、トイレ機能付き椅子１、６１、１４２、１５５は、座部本体１３の上部に背もたれ部９を構成しているが、背もたれ部９のない構成にしてもよい。
【００４３】
また、便座１７（１３１）、蓋体１９（１３３）の形状やクッション体２１の形状は、多様な形状で構成してもよい。
【００４４】
さらに、クッション体２１内に板材などの心材を入れて構成することにより、蓋体１９を用いないで構成することも可能である。この場合、心材を入れたクッション体自体が蓋体となる。
【産業上の利用可能性】
【００４５】
本発明の椅子は、通常は椅子として使用することができ、災害時等においては簡易トイレとして使用することができる。また、介護用の椅子として使用することも可能である。
【図面の簡単な説明】
【００４６】
【図１】本発明に係るトイレ機能付き椅子を示す斜視図である。
【図２】図１の２−２線に沿う拡大断面図である。
【図３】ヒンジ部の構造を示した断面図である。
【図４】本発明に係るトイレ機能付き椅子を簡易トイレとして使用する状態を示した図である。
【図５】マンホール設置用の台座を示した斜視図である。
【図６】別のトイレ機能付き椅子の要部拡大断面図である。
【図７】別のトイレ機能付き椅子をマンホールの蓋の受け枠に設置した状態を横から見た場合の断面図である。
【図８】別のトイレ機能付き椅子をマンホールの蓋の受け枠に設置した状態を上から見た場合の断面図である。
【図９】マンホール設置用の台座の別の使用例を示す図である。
【図１０】別のトイレ機能付き椅子をマンホールの蓋の受け枠に設置した状態を上から見た場合の断面図である。
【図１１】固定具で開閉扉用の骨材をフレーム材に取付けた場合の説明図である。
【図１２】錠の取付け状態を示した斜視図である。
【図１３】別のマンホール設置用の台座を示した斜視図である。
【図１４】別のトイレ機能付き椅子の要部拡大断面図である。
【符号の説明】
【００４７】
１、６１、１４２、１５５  トイレ機能付き椅子
７                        前脚部
９                        背もたれ部
１１                      後脚部
１３                      座部本体
１７、１３１              便座
１９、１３３              蓋体
２１                      クッション体
２３                      座部
６３、１５３              マンホール設置用の台座
７９                      基体
８３                      筒体
８７                      座部用支持体
９３                      脚材
９７                      覆い体
１０１                    骨材
１０５、１０６            カバーシート
【図１】
2006020660.tif 000003
【図２】
2006020660.tif 000004
【図３】
2006020660.tif 000005
【図４】
2006020660.tif 000006
【図５】
2006020660.tif 000007
【図６】
2006020660.tif 000008
【図７】
2006020660.tif 000009
【図８】
2006020660.tif 000010
【図９】
2006020660.tif 000011
【図１０】
2006020660.tif 000012
【図１１】
2006020660.tif 000013
【図１２】
2006020660.tif 000014
【図１３】
2006020660.tif 000015
【図１４】
2006020660.tif 000016